(57)【要約】      （修正有）【課題】比較的簡易で，かつ，汎用性の高い，埋設杭の引き抜き技術を提供する。【解決手段】本発明の目的は，削孔ケーシングとは別に用意された杭抜用器具によって達成される。杭抜用器具１は，削孔ケーシング２と埋設杭３との間に設置される空洞部材４と，空洞部材４の内部に突出した状態で設置される複数のチャッキング部材５と，を備えている。そして，杭抜用器具１は，チャッキング部材５が埋設杭３に食い込むことによって当該埋設杭３を保持することができるように構成されている。【選択図】図１
2018115434.tif 000002
【特許請求の範囲】
【請求項１】
削孔ケーシングと埋設杭との間に設置される空洞部材と，前記空洞部材の内部に突出した状態で設置される複数のチャッキング部材と，を備え，
前記チャッキング部材が前記埋設杭に食い込むことによって当該埋設杭を保持することを特徴とする杭抜用器具。
【請求項２】
前記空洞部材が，両端開口の略円筒状に形成されていることを特徴とする請求項１に記載の杭抜用器具。
【請求項３】
前記チャッキング部材が，
前記埋設杭に食い込む役割を果たすチャッキングプレートと，
前記チャッキングプレートを設置するための一対のリブプレートと，を備え，
前記チャッキングプレートが，前記一対のリブプレートに挟まれる形で，回動可能に支持されていることを特徴とする請求項１又は２に記載の杭抜用用具。
【請求項４】
前記チャッキングプレートの先端が，Ｒ状に形成されていることを特徴とする請求項３に記載の杭抜用器具。
【請求項５】
前記チャッキングプレートの先端に，網目加工が施されていることを特徴とする請求項３又は４に記載の杭抜用器具。
【請求項６】
前記チャッキングプレートの後端に回動可能に支持されたブラケットプレートをさらに備えたことを特徴とする請求項３から５のいずれか１項に記載の杭抜用器具。
【請求項７】
前記空洞部材の側面に，前記チャッキングプレートを貫通させるための貫通孔が設けられ，
前記チャッキングプレートが，前記貫通孔を貫通するとともに，
前記空洞部材の内部において，前記一対のリブプレートが前記チャッキングプレートにボルトで回動可能に支持されており，
前記空洞部材の外部において，前記ブラケットプレートが前記チャッキングプレートにボルトで回動可能に支持されていることを特徴とする請求項６に記載の杭抜用器具。
【請求項８】
請求項１から７のいずれか１項に記載の杭抜用器具を用いて埋設杭を引き抜くことを特徴とする杭抜方法。
【発明の詳細な説明】
【技術分野】
【０００１】
本発明は，杭抜きを行うために用いられる杭抜用器具，ならびに，これを用いた杭抜方法に関する。さらに詳しくいうと本発明は，地中に埋設された杭（埋設杭）を引き抜くに際して，当該埋設杭を確実かつ安定的に保持することが可能な杭抜用器具，ならびに，これを用いた埋設杭の引き抜き方法に関する。
【背景技術】
【０００２】
既存の建造物を撤去する際には，建造物の解体とともに，当該建造物を支えていた基礎杭（以下，「埋設杭」という）の引き抜きを行う必要がある。すなわち，埋設杭の引き抜きを行うことにより，土地利用の自由度が増すこととなり，土地の資産価値が向上することが通常だからである。このように，杭抜きは，建造物の撤去の際に，必須の作業であり，安全かつ効率的な杭抜方法が求められている。
【０００３】
杭抜方法としては，ケーシングを用いて埋設杭を引き抜く手法が，一般的に用いられている。すなわち，削孔ケーシングによって埋設杭の周囲の地盤を削孔した後，当該埋設杭の引き抜きを行う手法である。
【０００４】
削孔ケーシングは，埋設杭の径よりも大きな径を有する円筒状の鋼管である。この削孔ケーシングを回転させるとともに，水を供給しながら，埋設杭の周囲の地盤を掘り進めていく。そして，埋設杭の底部まで掘り進められると，埋設杭の引き抜きが行われる。
従来，この際の埋設杭の引き抜き方法として，ワイヤーなどを当該埋設杭に巻き付けて直接引き抜く技術や，削孔ケーシングとともに当該埋設杭を固定して引き抜く技術が開示されている（特許文献１，２）。
【先行技術文献】
【特許文献】
【０００５】
【特許文献１】特開２０００−１５４５４１号公報
【特許文献２】特開２０１５−２１２４６４号公報
【発明の概要】
【発明が解決しようとする課題】
【０００６】
上記のように，先行技術においては，削孔ケーシングとともに埋設杭を固定して引き抜く技術が開示されている。先行技術をはじめとして，削孔ケーシングとともに埋設杭を固定して引き抜く手法は，地盤の削孔と埋設杭の固定を同一の部材で行うことができる点において，有用な手法である。
しかるに，このような手法の場合，削孔ケーシングそのものに固定手段などの機能を備えなければならず，結果として，削孔ケーシングそのものが大きくなってしまう。そのため，大きな重機でなければ作業を行うことができず，また，スペースが確保できない狭い作業条件下では使用ができないなどの課題を有していた。加えて，削孔ケーシング自体に固定手段などの様々な機能を持たせつつ，固い地盤の削孔を行うため，故障なども生じやすく，メインテナンスも煩雑であるなどの問題を抱えていた。
【０００７】
上記事情を背景として，本発明では，比較的簡易で，かつ，汎用性の高い，埋設杭の引き抜き技術の開発を課題とする。
【課題を解決するための手段】
【０００８】
発明者は，鋭意研究の結果，削孔ケーシングとは別に，埋設杭を固定するための専用の固定用器具に想到し，かかる杭抜用器具及びこれを用いた杭抜方法の発明を完成させたものである。
【０００９】
本発明は，以下の構成からなる。
本発明の第一の構成は，削孔ケーシングと埋設杭との間に設置される空洞部材と，前記空洞部材の内部に突出した状態で設置される複数のチャッキング部材と，を備え，前記チャッキング部材が前記埋設杭に食い込むことによって当該埋設杭を保持することを特徴とする杭抜用器具である。
【００１０】
本発明の第二の構成は，前記空洞部材が，両端開口の略円筒状に形成されていることを特徴とする第一の構成に記載の杭抜用器具である。
【００１１】
本発明の第三の構成は，前記チャッキング部材が，前記埋設杭に食い込む役割を果たすチャッキングプレートと，前記チャッキングプレートを設置するための一対のリブプレートと，を備え，前記チャッキングプレートが，前記一対のリブプレートに挟まれる形で，回動可能に支持されていることを特徴とする第一又は第二の構成に記載の杭抜用器具である。
本発明の第四の構成は，前記チャッキングプレートの先端が，Ｒ（round）状に形成されていることを特徴とする第三の構成に記載の杭抜用器具である。
本発明の第五の構成は，前記チャッキングプレートの先端に，網目加工が施されていることを特徴とする第三又は第四の構成に記載の杭抜用器具である。
本発明の第六の構成は，前記チャッキングプレートの後端に回動可能に支持されたブラケットプレートをさらに備えたことを特徴とする第三から第五の構成に記載の杭抜用器具である。
本発明の第七の構成は，前記空洞部材の側面に，前記チャッキングプレートを貫通させるための貫通孔が設けられ，前記チャッキングプレートが，前記貫通孔を貫通するとともに，前記空洞部材の内部において，前記一対のリブプレートが前記チャッキングプレートにボルトで回動可能に支持されており，前記空洞部材の外部において，前記ブラケットプレートが前記チャッキングプレートにボルトで回動可能に支持されていることを特徴とする第六の構成に記載の杭抜用器具である。
【００１２】
本発明の第八の構成は，第一から第七の構成に記載の杭抜用器具を用いて埋設杭を引き抜くことを特徴とする杭抜方法である。
【発明の効果】
【００１３】
本発明により，比較的簡易で，かつ，汎用性の高い，埋設杭の引き抜き技術の提供が可能となった。
【図面の簡単な説明】
【００１４】
【図１】本発明の一実施の形態における杭抜用器具の使用状態を示す縦断面図（埋設杭を保持する前の状態）
【図２】図１のII−II線矢視断面図
【図３】図１のIII−III線矢視断面図
【図４】本発明の一実施の形態における杭抜用器具の使用状態を示す縦断面図（埋設杭を保持した状態）
【図５】図４のＶ−Ｖ線矢視断面図
【図６】図４のVI−VI線矢視断面図
【図７】本発明の一実施の形態における杭抜用器具の構成部材である空洞部材を示す縦断面図
【図８】本発明の一実施の形態における杭抜用器具の構成部材であるチャッキングプレートを示す正面図
【図９】本発明の一実施の形態における杭抜用器具の構成部材であるリブプレートを示す正面図（外側）
【図１０】本発明の一実施の形態における杭抜用器具の構成部材であるリブプレートを示す背面図（チャッキングプレートとの対向側）
【図１１】空洞部材の内部において，チャッキングプレートが，一対のリブプレートに挟まれる形で，回動可能に支持されている状態を示す六面図（背面図は省略）
【図１２】本発明の一実施の形態における杭抜用器具の構成部材であるブラケットプレートを示す正面図
【図１３】本発明の一実施の形態における杭抜用器具の構成部材であるブラケット蓋を示す六面図（背面図，左側面図，及び底面図は省略）
【図１４】ブラケット蓋とボルト及びナットを装着した状態のブラケットプレートを示す六面図（背面図は省略）
【図１５】削孔ケーシングによって埋設杭の周囲の地盤を削孔した状態を斜め上方から見た斜視図
【図１６】削孔ケーシングと埋設杭との間に，本発明の一実施の形態における杭抜用器具を設置した状態を斜め上方から見た斜視図
【図１７】削孔ケーシングと埋設杭との間に，本発明の一実施の形態における杭抜用器具を設置した状態を斜め上方から見た斜視図
【図１８】埋設杭を引き抜く前の地上の様子を示す斜視図
【図１９】埋設杭を引き抜く前の地中の様子を斜め上方から見た斜視図
【図２０】埋設杭を引き抜いている状態の地上の様子を示す斜視図
【図２１】埋設杭を引き抜いている状態の地上の様子を示す斜視図
【発明を実施するための形態】
【００１５】
以下，好適な実施の形態を用いて本発明をさらに具体的に説明する。但し，下記の実施の形態は本発明を具現化した例に過ぎず，本発明はこれに限定されるものではない。
【００１６】
＜＜Ｉ．杭抜用器具の概要＞＞
本発明の杭抜用器具は，削孔ケーシングと埋設杭との間に設置される空洞部材と，前記空洞部材の内部に突出した状態で設置される複数のチャッキング部材と，を備え，前記チャッキング部材が前記埋設杭に食い込むことによって当該埋設杭を保持することを特徴とする。
【００１７】
空洞部材は，チャッキング部材を備えるとともに，埋設杭の周りに設置される部材である。加えて，空洞部材は，埋設杭を引き抜く際に，安定的に引き抜きができるよう，一定程度の長さと強度を有するものである。空洞部材は，これらの役割・機能を果たす限り，特に限定されるものではなく，種々の形状ないし構成のものを採用することができる。
空洞部材としては，典型的には，図７や図１７などに示すような，両端が開口した略円筒状の金属製の部材を用いればよい。
【００１８】
本発明において，空洞部材は，後述するチャッキングプレートを貫通させるための貫通孔を備えることが好ましい。
かかる好ましい構成によれば，ネジ等によらないでチャッキングプレートを設置することができるとともに，重力によるチャッキングプレートの位置の変更が可能となり，本発明の杭抜用器具の性能を向上させることができるという効果が得られる。
貫通孔の形状は，図７に示すように，長方形状とすればよい。この場合，貫通孔の幅はチャッキングプレートの厚みとほぼ同じにすればよく，長さはチャッキングプレートの長さよりも僅かに短くすればよい。
【００１９】
チャッキング部材は，空洞部材に備えられるものであり，その先端が埋設杭に食い込むことによって当該埋設杭を保持する役割を果たすものである。チャッキング部材は，かかる役割を果たす限り，特に限定されるものではなく，種々の形状ないし構成のものを採用することができる。
【００２０】
チャッキング部材は，埋設杭に食い込む役割を果たすチャッキングプレートと，当該チャッキングプレートを設置するための一対のリブプレートと，を備え，前記チャッキングプレートが，前記一対のリブプレートに挟まれる形で，回動可能に支持されていることが好ましい。
かかる好ましい構成によれば，チャッキング部材を比較的簡易な構成としつつ，十分な機能を発揮させることが可能となり，本発明の杭抜用器具の性能や取扱性を向上させることができるという効果が得られる。
【００２１】
チャッキングプレートは，埋設杭に食い込む役割を果たすとともに，その前後に回動可能に支持されたリブプレートならびにブラケットプレートを備えることにより，貫通孔を通じてその位置や向きを変更することが可能な軸としての役割を果たす。チャッキングプレートは，かかる役割を果たす限り，特に限定されるものではなく，種々の形状ないし構成のものを採用することができる。
チャッキングプレートとしては，典型的には，図８に示すような，円形の孔を有する略台形状ないし先端がＲ状に形成された金属製の部材を用いればよい。
なお，本明細書においては，便宜上，チャッキングプレートの，空洞部材の内側（埋設杭に食い込む側）の端を「先端」，空洞部材の外側の端を「後端」とそれぞれ定義する。
【００２２】
チャッキングプレートは，その先端に網目加工が施されていることが好ましい。
かかる好ましい構成によれば，チャッキングプレートが埋設杭に食い込んだ際に抵抗を持つようになり，チャッキングプレートによる埋設杭の保持を安定化させることができるという効果が得られる。
【００２３】
リブプレートは，チャッキングプレートが貫通孔から抜けることを防止するとともに，埋設杭の保持固定時に，チャッキング部材の位置を安定化させる役割を果たす。リブプレートは，かかる役割を果たす限り，特に限定されるものではなく，種々の形状ないし構成のものを採用することができる。
リブプレートとしては，典型的には，図９ないし図１０に示すような，円形の孔を有する略台形状の金属製の部材を用いればよい。すなわち，かかる円形の孔を通じて，一対のリブプレートが，ボルトにより，チャッキングプレートの先端部に回動可能に支持されるような構成とすればよい。
リブプレートは，その略台形状の底辺に網目加工が施されていることが好ましい。
かかる好ましい構成によれば，埋設杭の保持固定時において，リブプレートの底辺と空洞部材の内壁の接触における抵抗を増やすことが可能となり，結果として，保持力や安定性を向上させることができるという効果が得られる。
【００２４】
ブラケットプレートは，チャッキングプレートが貫通孔から抜けることを防止するとともに，空洞部材を上下動させる際の棒状部材（ケビン棒）などを取り付けるためのブラケット蓋を備える役割を果たす。ブラケットプレートは，かかる役割を果たす限り，特に限定されるものではなく，種々の形状ないし構成のものを採用することができる。
ブラケットプレートとしては，典型的には，図１２に示すような，円形の孔を有する長方形状の金属製の部材を用いればよい。すなわち，かかる円形の孔を通じて，一対のブラケットプレートが，ボルトにより，チャッキングプレートの後端部に回動可能に支持されるような構成とすればよい。
【００２５】
ブラケット蓋は，ブラケットプレートに固定して備えられるとともに，棒状部材（ケビン棒）を取り付けるための役割を果たす。ブラケット蓋は，かかる役割を果たす限り，特に限定されるものではなく，種々の形状ないし構成のものを採用することができる。
ブラケット蓋としては，典型的には，図１３に示すような，長方形状の部材に棒状部材（ケビン棒）を螺合させるための雌ネジ穴を備えた形状のもの（金属製）を用いればよい。
【００２６】
＜＜II．実施の形態＞＞
＜杭抜用器具の構成＞
まず，本発明の一実施の形態における杭抜用器具の構成について，図１から図１４を参照しながら説明する。
【００２７】
図１は本発明の一実施の形態における杭抜用器具の使用状態を示す縦断面図（埋設杭を保持する前の状態），図２は図１のII−II線矢視断面図，図３は図１のIII−III線矢視断面図，図４は当該杭抜用器具の使用状態を示す縦断面図（埋設杭を保持した状態），図５は図４のＶ−Ｖ線矢視断面図，図６は図４のVI−VI線矢視断面図，図７は当該杭抜用器具の構成部材である空洞部材を示す縦断面図，図８は当該杭抜用器具の構成部材であるチャッキングプレートを示す正面図，図９は当該杭抜用器具の構成部材であるリブプレートを示す正面図（外側），図１０は当該リブプレートを示す背面図（チャッキングプレートとの対向側），図１１は空洞部材の内部において，チャッキングプレートが，一対のリブプレートに挟まれる形で，回動可能に支持されている状態を示す六面図（背面図は省略），図１２は当該杭抜用器具の構成部材であるブラケットプレートを示す正面図，図１３は当該杭抜用器具の構成部材であるブラケット蓋を示す六面図（背面図，左側面図，及び底面図は省略），図１４はブラケット蓋とボルト及びナットを装着した状態のブラケットプレートを示す六面図（背面図は省略）である。
【００２８】
図１から図６に示すように，本実施の形態の杭抜用器具１は，削孔ケーシング２と埋設杭３との間に設置される空洞部材４と，空洞部材４の内部に突出した状態で設置される複数のチャッキング部材５と，を備えている。そして，本実施の形態の杭抜用器具１は，チャッキング部材５が埋設杭３に食い込むことによって当該埋設杭３を保持固定することができるように構成されている。
【００２９】
本実施の形態の杭抜用器具１の構成によれば，埋設杭３の引き抜きを行う際に，削孔ケーシング２とは別の，チャッキング部材５を備えた空洞部材４を用いて，埋設杭３を保持固定することができる。その結果，削孔ケーシングそのものが大きくなってしまうことがないため，大きな重機を必要とせず，また，スペースが確保できない狭い作業条件下での使用も可能となる。従って，本実施の形態の杭抜用器具１を用いれば，比較的簡易で，かつ，汎用性の高い，埋設杭の引き抜き技術の提供が可能となる。
【００３０】
図１から図７に示すように，空洞部材４は，両端開口の略円筒状に形成されている（図１６，図１７，図２０，図２１を参照）。そして，空洞部材４の側面（周面）には，チャッキング部材５の構成部材である後述するチャッキングプレート５ａを貫通させるための貫通孔４ａが略９０°間隔で４つ設けられている。
ここで，空洞部材４の外径は８００ｍｍ，内径は７７６ｍｍ，高さは１１５０ｍｍである。また，貫通孔４ａの幅は３６ｍｍ，長さは２５０ｍｍであり，当該貫通孔４ａは空洞部材４の中央よりも多少下方に位置して設けられている。貫通孔４ａの幅はチャッキングプレート５ａの厚みとほぼ同じに設定されており，長さはチャッキングプレート５ａの長さよりも僅かに短く設定されている。
【００３１】
図１から図６，及び図８から図１１に示すように，チャッキング部材５は，埋設杭３に食い込む役割を果たすチャッキングプレート５ａと，当該チャッキングプレート５ａを設置するための一対のリブプレート５ｂと，を備えている。そして，チャッキングプレート５ａの先端部は，一対のリブプレート５ｂに挟まれる形で，ボルト６ａにより，回動可能に支持されている。
図１から図６，及び図１２から図１４に示すように，本実施の形態の杭抜用器具１は，チャッキングプレート５ａの後端部に，ボルト６ｂにより，回動可能に支持された一対のブラケットプレート５ｃをさらに備えている。そして，一対のブラケットプレート５ｃの上端には，空洞部材４を上下動させる際のケビン棒５ｄを取り付けるためのブラケット蓋５ｅが固定されている。なお，図１２中，参照符号５ｊはブラケットプレート５ｃの下端部に穿設されたボルト挿通孔を示している。また，図２，図５，図１３，図１４中，参照符号５ｆはケビン棒５ｄの下端部を螺合させるための雌ネジ穴を示している。
【００３２】
ここで，チャッキングプレート５ａは，高さ９８ｍｍ，長さ２６３ｍｍの略逆台形状に形成されており，先端が曲率半径７３ｍｍの円弧状（Ｒ状）に形成されている。なお，図８中，参照符号５ｇ，５ｈはチャッキングプレート５ａの先端部と後端部に穿設されたボルト挿通孔を示している。また，チャッキングプレート５ａの先端には，網目加工が施されている。これにより，チャッキングプレート５ａが埋設杭３に食い込んだ際に抵抗を持つようになり，チャッキングプレート５ａによる埋設杭３の保持を安定化させることが可能となる。
リブプレート５ｂは，高さ１０２．５ｍｍ，長さ１７２．５ｍｍの略台形状に形成されている。なお，図９，図１０中，参照符号５ｉはリブプレート５ｂの上端部に穿設されたボルト挿通孔を示している。また，リブプレート５ｂは，その略台形状の底辺に網目加工が施されている。これにより，埋設杭３の保持固定時において，リブプレート５ｂの底辺と空洞部材３の内壁の接触における抵抗を増やすことが可能となり，結果として，保持力や安定性を向上させることが可能となる。
【００３３】
より具体的には，図４，図１１，図１４に示すように，チャッキングプレート５ａが，貫通孔４ａを貫通するとともに，空洞部材４の内部において，一対のリブプレート５ｂがチャッキングプレート５ａにボルト６ａで回動可能に支持されており，空洞部材４の外部において，ブラケットプレート５ｃがチャッキングプレート５ａにボルト６ｂで回動可能に支持されている。
【００３４】
＜杭抜用器具の使用方法（杭抜方法）＞
次に，本発明の一実施の形態における杭抜用器具を用いて埋設杭を引き抜く杭抜方法について，図１５から図２１をも参照しながら説明する。
【００３５】
図１５は削孔ケーシングによって埋設杭の周囲の地盤を削孔した状態を斜め上方から見た斜視図，図１６及び図１７は削孔ケーシングと埋設杭との間に，本発明の一実施の形態における杭抜用器具を設置した状態を斜め上方から見た斜視図，図１８は埋設杭を引き抜く前の地上の様子を示す斜視図，図１９は埋設杭を引き抜く前の地中の様子を斜め上方から見た斜視図，図２０及び図２１は埋設杭を引き抜いている状態の地上の様子を示す斜視図である。
【００３６】
まず，図１５に示すように，削孔ケーシング２によって埋設杭３の周囲の地盤を削孔する。すなわち，削孔ケーシング２を回転させるとともに，水を供給しながら，埋設杭３の周囲の地盤を掘り進めていく。
次いで，このようにして埋設杭３の底部の周囲まで掘り進めた後，図１から図３，及び図１６，図１７に示すように，空洞部材４を，削孔ケーシング２と埋設杭３との間に設置する。ここで，チャッキングプレート５ａの後端部にブラケットプレート５ｃ及びブラケット蓋５ｅを介して連結されたケビン棒５ｄの上端は，クレーン車７のクレーン７ａの先端部に連結部材８を介して固定されている（図１８，図２０，図２１を参照）。
【００３７】
次いで，図１，図１８に示すように，クレーン車７のクレーン７ａによってケビン棒５ｄを引き上げると（図１の矢印Ａ，Ｂ，Ｃ，及び図１８の矢印Ｆを参照），チャッキングプレート５ａがボルト６ａを中心として回動し（図１の矢印Ｄ，Ｅを参照），図４から図６に示すように，当該チャッキングプレート５ａの先端が埋設杭３に食い込む。これにより，埋設杭３がチャッキングプレート５ａによって保持固定される。ここで，チャッキングプレート５ａは，その先端に網目加工が施されているので，当該チャッキングプレート５ａが埋設杭３に食い込んだ際に抵抗を持つようになり，チャッキングプレート５ａによる埋設杭３の保持を安定化させることができる。
【００３８】
最後に，図１８，図１９に示すように，クレーン車７のクレーン７ａによってケビン棒５ｄをそのまま引き上げていくと（図１８の矢印Ｆ，及び図１９の矢印Ｇ，Ｈ，Ｉ，Ｊを参照），図２０，図２１に示すように，埋設杭３が地中から引き抜かれる。
【００３９】
以上のように，本実施の形態の杭抜用器具１を用いれば，削孔ケーシングそのものが大きくなってしまうことがないため，大きな重機を必要とせず，また，スペースが確保できない狭い作業条件下での埋設杭の引き抜きも可能となる。加えて，削孔ケーシング自体に固定手段などの様々な機能を持たせていないため，固い地盤の削孔を行う際に故障などが生じにくく，メインテナンスも容易となる。
【００４０】
なお，上記実施の形態においては，空洞部材４の側面（周面）に，チャッキングプレート５ａを貫通させるための貫通孔４ａが略９０°間隔で４つ設けられている場合を例に挙げて説明したが，本発明は必ずしもこのような構成に限定されるものではない。貫通孔及びチャッキングプレートの数は，２つであっても３つであっても，５つ以上であってもよい。
【００４１】
また，上記実施の形態においては，空洞部材４の内壁に固着されていないリブプレート５ｂを備える場合を例に挙げて説明したが，本発明は必ずしもこのような構成に限定されるものではない。一対のリブプレートは，貫通孔を挟んだ状態で空洞部材の内壁に溶接等によって固着されていてもよい。
【符号の説明】
【００４２】
１  杭抜用器具
２  削孔ケーシング
３  埋設杭
４  空洞部材
４ａ  貫通孔
５  チャッキング部材
５ａ  チャッキングプレート
５ｂ  リブプレート
５ｃ  ブラケットプレート
５ｄ  ケビン棒
５ｅ  ブラケット蓋
５ｆ  雌ネジ穴
５ｇ，５ｈ，５ｉ，５ｊ  ボルト挿通孔
６ａ，６ｂ  ボルト
７  クレーン車
７ａ  クレーン
８  連結部材
【図１】
2018115434.tif 000003
【図２】
2018115434.tif 000004
【図３】
2018115434.tif 000005
【図４】
2018115434.tif 000006
【図５】
2018115434.tif 000007
【図６】
2018115434.tif 000008
【図７】
2018115434.tif 000009
【図８】
2018115434.tif 000010
【図９】
2018115434.tif 000011
【図１０】
2018115434.tif 000012
【図１１】
2018115434.tif 000013
【図１２】
2018115434.tif 000014
【図１３】
2018115434.tif 000015
【図１４】
2018115434.tif 000016
【図１５】
2018115434.tif 000017
【図１６】
2018115434.tif 000018
【図１７】
2018115434.tif 000019
【図１８】
2018115434.tif 000020
【図１９】
2018115434.tif 000021
【図２０】
2018115434.tif 000022
【図２１】
2018115434.tif 000023